(57)【特許請求の範囲】
【請求項１】
遊技盤の遊技領域を流下する遊技球を球受入口から受け入れ、当該球受入口から受け入れた遊技球を異なる振分通路に振り分けて流下させて球排出口から排出するケース体と、
前記球受入口と前記球排出口との間に配置され、前記球受入口から受け入れた遊技球と当接して所定角度だけ回転することで遊技球の流下する前記振分通路を振り分ける振分回転体と、
前記振分回転体と並設され当該振分回転体の回転変位量に応じて所定量従動回転する従動回転体と、
前記振分回転体の回転変位量と所定ピッチ異ならせて従動回転体を従動回転させる回転伝達手段と、を具備し、
前記振分回転体は、前記球受入口から受け入れた遊技球と個別に当接して回転する複数の球当接部を備え、前記従動回転体は、前記球当接部に当接した遊技球の受入れを阻止する流入阻止壁と遊技球の受入れを許容する球流入部を備え、遊技球と当接した前記球当接部と前記球流入部とが軸方向に重なる回転位置のみで前記振分回転体から前記従動回転体への遊技球の流出を許容することを特徴とする遊技球振分装置。
【請求項２】
前記回転伝達手段は、前記振分回転体と同軸に設けられた入力歯車から歯車列を介して前記従動回転体と同軸に設けられた出力歯車に噛合する歯車機構を備えている請求項１記載の遊技球振分装置。
【請求項３】
前記振分回転体の一方向への回転のみを許容しかつ流下させる遊技球毎に回転量を所定量に規制する回転規制手段を備えている請求項１記載の遊技球振分装置。
【請求項４】
前記回転規制手段は、前記振分回転体の球当接部と同数で同位相に配置された複数の係合部を備え前記振分回転体と同期して回転する回転規制体と、前記各係合部のうちいずれかの係合部に常時付勢されて係合する爪部材と、を備えている請求項３記載の遊技球振分装置。
【請求項５】
前記振分回転体は、いずれかの一対の前記球当接部どうしの間に形成され前記従動回転体側への遊技球の流出を許容する球流出部と、複数の前記球当接部に交差して設けられ遊技球が前記従動回転体の前記球流入部への流出を阻止する流出阻止壁とを有し、前記球流出部と前記球流入部とが合致したときのみ前記振分回転体から前記従動回転体への遊技球の流出が許容される請求項１乃至請求項４のいずれか１項記載の遊技球振分装置。
【請求項６】
前記振分回転体と前記従動回転体は、同一軸線上に設けられる請求項１乃至請求項５のいずれか１項記載の遊技球振分装置。
【請求項７】
前記ケース体の前記球受入口から受け入れた遊技球を前記振分回転体へ誘導する球誘導路は、前記振分回転体の回転軸方向に誘導する請求項１乃至請求項６のいずれか１項記載の遊技球振分装置。
【請求項８】
前記振分回転体の球当接部は、前記従動回転体に向かって遊技球を誘導する傾斜部を備えている請求項１乃至請求項７のいずれか１項記載の遊技球振分装置。
【請求項９】
請求項１乃至請求項８記載のいずれかの遊技球振分装置が遊技盤に組み付けられている遊技機。
【発明の詳細な説明】
【技術分野】
【０００１】
本発明は、遊技球振分装置及びそれを備えた遊技機に関する。
【背景技術】
【０００２】
パチンコ機などの遊技機は、球受け皿に貯留された遊技球を球発射装置の発射位置へ誘導し、遊技機の前面側に設けた発射ハンドルの操作により球発射装置を作動させて遊技盤の遊技領域に向かって遊技球を発射させる。遊技盤には、図柄表示装置や風車、チャッカー、普通入賞口や図柄表示装置で抽選が開始される始動入賞口、大当たり（大入賞）が発生した場合に開口するアタッカー（大入賞口）などの盤面部品が設けられている。そして、普通入賞口、始動入賞口、アタッカーに遊技球が入賞すると所定数の賞球が払い出される。
【０００３】
また、遊技盤を流下する遊技球が遊技領域の異なる流路に流下するように振り分けて流下させる振分装置が設けられる遊技機がある。例えば、周面が凹状面に形成された正六角柱体の軸方向一方側端に５つの側面に鍔状に延設された第１阻止壁が設けられ、他方側端に残りの１つの側面に第２阻止壁が延設された振分部材が、ケース体内で回転可能に軸支されている。振分部材は、ばね部材の付勢によって６つの側面のうちいずれかの側面が誘導路の下流側に対向させた姿勢で停止するようになっている。また、第１阻止壁及び第２阻止壁のうちいずれかを仕切り板により仕切られた開口内に入り込むことで、第１経路と第２経路のいずれかに遊技球を進入させて、遊技球を振り分けて流下させるようになっている（特許文献１参照）。
【０００４】
或いは、遊技盤に遊技球の流下方向となる上下方向に複数の振分装置を縦列状に配置している遊技機も提案されている。各振分装置には回転軸を中心として回転する半円板状のベース板に軸受の外周に９０°異なる位置に振分片が３カ所に設けられ、左右一対の振分片により球受け部が形成されるようになっている。軸受の下流側に設けられた誘導部材には回転規制部が設けられ、各振分装置は一対の振分片が回転規制部によって左右方向の回転範囲が規制されるようになっている。これにより、入球口より入球した遊技球は、第１振分装置の球受け部で受け止められて遊技球の重さにより第１方向に回転して左転動路に誘導され、次いで入球した遊技球は球受け部で受け止められて遊技球の重さにより第１方向とは反対の第２方向に回転して右転動路に誘導される。これを次の第２振分装置においても繰り返すことで、遊技球が機械的に振分られて下流側に配置された異なる入賞口に入賞するようになっている（特許文献２参照）。
【先行技術文献】
【特許文献】
【０００５】
【特許文献１】特開２０１３−８１５４４号公報
【特許文献２】特開２０１４−１７６４９７号公報
【発明の開示】
【発明が解決しようとする課題】
【０００６】
上述した特許文献１の振分装置においては、複数（例えば６カ所）の球受け部を設けて流下した遊技球によって各球受け部を押圧されて遊技球の流下方向を多段階に振り分けるようになっている。この場合、振分方向の割合を変更する、例えば遊技球の振分数を増やすためには、振分部材を大径にして球受け部の数を増やす必要があり、設置面積や奥行方向に大型化して振分装置を遊技盤に配置できる場所が制約される。
また、特許文献２のように、複数の振分装置を遊技盤の上下方向に縦列状に連なって配置される場合には、振分の割合を増やすごとに振分装置を増やす必要があり、遊技盤の占有面積が増大するため、振分の割合が限られてしまうという課題があった。
【０００７】
本発明の課題は、上記実情に鑑みてなされたものであり、モータ等の駆動源を使用することなく、コンパクトに配置できしかも遊技球が流下する球通路を振り分ける割合を装置を大型化することなく任意に変更可能な遊技球振分装置及びそれを用いて遊技性に変化を持たせて興趣を深めることができる遊技機を提供することにある。
【課題を解決するための手段】
【０００８】
本発明は上記目的を達成するため、次の構成を備えることを特徴とする。
遊技盤の遊技領域を流下する遊技球を球受入口から受け入れ、当該球受入口から受け入れた遊技球を異なる振分通路に振り分けて流下させて球排出口から排出するケース体と、前記球受入口と前記球排出口との間に配置され、前記球受入口から受け入れた遊技球と当接して所定角度だけ回転することで遊技球の流下する前記振分通路を振り分ける振分回転体と、前記振分回転体と並設され当該振分回転体の回転変位量に応じて所定量従動回転する従動回転体と、前記振分回転体の回転変位量と所定ピッチ異ならせて従動回転体を従動回転させる回転伝達手段と、を具備し、前記振分回転体は、前記球受入口から受け入れた遊技球と個別に当接して回転する複数の球当接部を備え、前記従動回転体は、前記球当接部に当接した遊技球の受入れを阻止する流入阻止壁と遊技球の受入れを許容する球流入部を備え、遊技球と当接した前記球当接部と前記球流入部とが軸方向に重なる回転位置のみで前記振分回転体から前記従動回転体への遊技球の流出を許容することを特徴とする。
上記構成によれば、振分回転体が、球受入口から受け入れた遊技球と球当接部が個別に当接し従動回転体の流入阻止壁によって遊技球の流出を阻止されたまま回転して遊技球を流下させる場合と、遊技球と当接した球当接部と球流入部とが軸方向に重なる回転位置で振分回転体から従動回転体へ遊技球を流出させる場合とで任意の割合で遊技球の振分通路（球通路）を振り分けて流下させることができる。
また、回転伝達手段によって、振分回転体の回転変位量と従動回転体の従動回転量を所定ピッチ異ならせて回転させることにより、遊技球を保持した球当接部と球流入部とが軸方向で重なる回転位置の割合が変化するので、振分装置を大型化することなく、遊技球が流下する振分通路を振り分ける割合を変更することができる。
【０００９】
前記回転伝達手段は、前記振分回転体と同軸に設けられた入力歯車から歯車列を介して前記従動回転体と同軸に設けられた出力歯車に噛合する歯車機構を備えていることが好ましい。
これにより、入力歯車と出力歯車の歯車比を変えるだけで、振分回転体の球当接部と従動回転体の球流入部とが軸方向に重なる回転位置の割合が変動するので、遊技球が流下する振分通路を振り分ける割合を容易に変更することができる。
【００１０】
また、前記振分回転体の一方向への回転のみを許容しかつ流下させる遊技球毎に回転量を所定量に規制する回転規制手段を備えていることが好ましい。
これにより、遊技盤を流下する遊技球が振分回転体の球当接部に当接したとしても、当該遊技球１個分の所定回転量で回転規制することで、遊技球ごとに排出動作を制御することができる。
【００１１】
前記回転規制手段は、前記振分回転体の球当接部と同数で同位相に配置された複数の係合部を備え前記振分回転体と同期して回転する回転規制体と、前記各係合部のうちいずれかの係合部に常時付勢されて係合する爪部材と、を備えていることが好ましい。
この構成によれば、振分回転体の球当接部と回転規制体の係合部とは同位相に設けられ爪部材は係合部が１ピッチ回転するごとに回転規制することが可能となる。これにより、遊技球が球当接部に当接する度に振分回転体と回転規制体を１ピッチ分だけ同期をとって回転させて停止させることができる。よって、振分回転体に受け入れた遊技球毎に振分動作を制御することができる。
【００１２】
前記振分回転体は、いずれかの一対の前記球当接部どうしの間に形成され前記従動回転体側への遊技球の流出を許容する球流出部と、複数の前記球当接部に交差して設けられ遊技球が前記従動回転体の前記球流入部への流出を阻止する流出阻止壁とを有し、前記球流出部と前記球流入部とが合致したときのみ前記振分回転体から前記従動回転体への遊技球の流出が許容されるようにしてもよい。
これにより、振分回転体は、遊技球を球当接部と流出阻止壁に囲まれた部位に保持して回転し、軸方向への流出を流出阻止壁によって阻止されたまま回転して遊技球を流下させる場合と、球流出部と球流入部とが軸方向に重なる回転位置で振分回転体から従動回転体へ遊技球を流出させて流下させる場合とで、任意の割合で振分通路を振り分けて流下させることができる。
【００１３】
前記振分回転体と前記従動回転体は、同一軸線上に設けられていてもよい。
この場合には、遊技盤に配置される遊技球振分装置の奥行きが少なく、コンパクトに配置できるので設計の自由度が広がる。
【００１４】
前記ケース体の前記球受入口から受け入れた遊技球を前記振分回転体へ誘導する球誘導路は、前記振分回転体の回転軸方向に誘導するようにしてもよい。
これにより、振分回転体と従動回転体は軸方向に配置されるので、遊技盤に配置される遊技球振分装置を球誘導路も含めて最短距離で、コンパクトに配置することができる。
【００１５】
前記振分回転体の球当接部は、前記従動回転体に向かって遊技球を誘導する傾斜部を備えていると、振分回転体の球当接部に受け入れた遊技球を従動回転体に向かって確実に誘導することができる。
【００１６】
遊技機においては、上述したいずれかの遊技球振分装置が遊技盤に組み付けられていると、遊技球振分装置で振分通路を振り分けて遊技球を流下させることで、例えば遊技球振分装置の振分通路やその下流側に検知センサを設けることによって遊技球を検知し、当たり抽選を実行したり、賞球として入賞回数をカウントしたりすることによっても、遊技性に変化を持たせることができる。また、例えば、遊技球振分装置より遊技球の流下方向に可変入賞装置が組み付けられている場合には、遊技球を可変入賞装置へ誘導する場合とそれ以外の場合とで遊技球を振り分けて流下させることで、入賞の回数や大当たりのバリエーションなどが異なるため、遊技性に変化を持たせることができる。
【発明の効果】
【００１７】
上述した遊技球振分装置を用いれば、モータ等の駆動源を使用することなく、コンパクトに配置できしかも装置を大型化することなく遊技球を振り分ける割合を任意に変更可能となる。
また、遊技機においては、上記遊技球振分装置を用いることで嵩張る（盤面領域を占有する）ことなく遊技性に変化を持たせて、遊技者の興趣を深めることができる。
【図面の簡単な説明】
【００１８】
【図１】パチンコ機の正面図である。
【図２】図１のパチンコ機の背面図である。
【図３】遊技球振分装置の正面図、背面図、左右側面図、平面図及び底面図、左右斜め前方斜視図、右後方斜視図である。
【図４】従動回転体側の球排出口へ誘導する状態の振分回転体、従動回転体及び歯車機構の正面図、左右側面図、平面図及び底面図、背面図、右斜め前方斜視図、右斜め後方斜視図である。
【図５】振分回転体側の球排出口へ誘導する状態の振分回転体、従動回転体及び歯車機構の正面図、左右側面図、平面図及び底面図、背面図、右斜め前方斜視図、右斜め後方斜視図である。
【図６】遊技球振分装置の動作を説明する正面図、背面図、矢印Ｅ−Ｅ断面図、矢印Ｆ−Ｆ断面図、矢印Ｇ−Ｇ断面図である。
【図７】振分回転体及び従動回転体の回転動作を示す状態説明図である。
【図８】回転規制部の動作を示す状態説明図である。
【図９】遊技球振分装置の前方分解斜視図である。
【図１０】遊技球振分装置の後方分解斜視図である。
【発明を実施するための形態】
【００１９】
以下、本発明の実施形態について図面を参照しながら具体的に説明する。
図１及び図２を参照して本実施形態に係る遊技機の概略構成について説明する。本実施例としては、遊技機の一例としてパチンコ機について説明するものとする。
【００２０】
先ずパチンコ機１の概略構成について説明すると、図１においてパチンコ機１の外形をなす矩形状の外枠２の側部に対して内枠ヒンジ４ａ，４ｂにより内枠３（図２参照）が開閉可能に取り付けられ、該内枠３の側部に対して前枠ヒンジ５ａ，５ｂにより前面枠５が開閉可能に取り付けられている。
【００２１】
前面枠５の中央部には遊技者が遊技盤６を視認できる窓部（ガラス枠）７が設けられている。該窓部７の上方には装飾ランプ８などが設けられている。また、窓部７の下方には、貸球や賞球を貯留し図示しない球発射装置へ球を誘導する球受け皿９が設けられている。球受け皿９の右側には、図示しない球発射装置を作動及び遊技球の発射力を調整するための発射ハンドル１０が設けられている。
【００２２】
遊技盤６の盤面上に形成される遊技領域内には、中央部に図柄表示装置（液晶表示装置）１１を備えたセンター役物１１ａが設けられ、その周囲には釘１１ｂ、スルーチャッカー１２、遊技球振分装置１３、特定入賞口２８、始動入賞口１４、可変入賞装置（アタッカー）１５、遊技盤レール１６、サイドランプ１７などの盤面部品やアウト球（始動入賞口１４，アタッカー１５に入賞しなかった遊技球）を回収するアウト口１８などが設けられている。なお、遊技球振分装置１３及び可変入賞装置（アタッカー）１５は、センター役物１１ａの右側に配置され、大当たりの発生時に遊技領域の右側を狙って遊技球を発射（所謂右打ち）した際に、遊技球の経路が特定し易くなっている。また、前面枠５にはシリンダ錠５ｃが設けられている。図示しないキーを鍵穴に挿入して回転操作することでシリンダ錠５ｃの開錠施錠が行われる。シリンダ錠５ｃはキーを差し込んで一方向へ回転させると外枠２と内枠３の施錠が開錠され、他方向へ回転させると前面枠５と内枠３の施錠が開錠するようになっている。
【００２３】
図２において、内枠３の背面側上辺部には貯留タンク１９が設けられ、貯留タンク１９にはパチンコ機１が配置されたホールの遊技機島から遊技球が供給される。貯留タンク１９は、球供給方向下流側（図２の右端側）に設けられるタンクレール２０に向けて底部が下方に傾斜するように形成されている。また、タンクレール２０は上下方向に流下する球通路２１を通じて球払出装置２２と接続されている。球払出装置２２は球払出樋２３を通じて遊技球を貸球、賞球として球受け皿９（図１参照）へ払い出される。
【００２４】
また、遊技盤６の背面側は盤裏カバー２４に覆われている。この盤裏カバー２４には、図柄表示装置１１とこれを制御する画像処理基板等（図示せず）が覆われている。また、パチンコ機１の遊技動作を統括制御する主制御基板２５は、基板収納ケースに収納されて封止されている。また、主制御基板２５のほかに、球払出装置２２の球払出し動作を制御する払出制御基板２６、球発射装置（図示せず）の動作を制御する発射制御基板２７などが基板収納ケースに収納されて設けられている。
【００２５】
次に、遊技盤６に設けられる遊技球振分装置１３の構成について、図３乃至図８を参照して説明する。図３（Ａ）〜（Ｉ）は、遊技球振分装置１３の正面図、背面図、左右側面図、平面図及び底面図、左右斜め前方斜視図、右後方斜視図である。図４（Ａ）〜（Ｈ）は、第２球排出口へ誘導する状態の振分回転体、従動回転体及び歯車機構の正面図、左右側面図、平面図及び底面図、背面図、右斜め前方斜視図、右斜め後方斜視図である。
図３（Ａ）〜（Ｉ）に示すように、遊技球振分装置１３は、第１ケース２９Ａ、第２ケース２９Ｂ及び第３ケース２９Ｃを一体に組み合わせたケース体２９を備えている（図９，図１０参照）。このケース体２９は、遊技盤６（図１参照）の遊技領域を流下する遊技球を球受入口２９ａから受け入れ、当該球受入口２９ａから受け入れた遊技球は、球誘導路２９ｂを経て複数の振分通路Ｐ，Ｑに振り分けられて球排出口２９ｃ１，２９ｃ２から選択的に排出される。本実施例では、球受入口２９ａから受け入れた遊技球を球誘導路２９ｂによって振分回転体３０（図４（Ａ）参照）の回転軸３０ａ方向に誘導する。
【００２６】
図６（Ａ）〜（Ｅ）は、遊技球振分装置１３の動作を説明する正面図、背面図、矢印Ｅ−Ｅ断面図、矢印Ｆ−Ｆ断面図、矢印Ｇ−Ｇ断面図である。図６（Ｃ）の矢印Ｅ−Ｅ断面図に示すように、第１ケース体２９Ａ及び第２ケース体２９Ｂ内には、振分回転体３０が球受入口２９ａと球排出口２９ｃ１，２９ｃ２との間に配置されている。第１ケース体２９Ａに設けられた振分回転体３０は、遊技球が流下する振分通路Ｐの上流側に配置されている。また、第２ケース体２９Ｂに設けられた従動回転体３１は、遊技球が流下する振分通路Ｑの上流側に配置されている。振分回転体３０は、球誘導路２９ｂに誘導された遊技球と当接して所定角度だけ回転して遊技球を振分通路Ｐ又は従動回転体３１側へ流下させる。また、振分回転体３０と同軸状に並設された従動回転体３１は、振分回転体３０の回転変位量に応じて後述する歯車機構３２（図４（Ｇ）（Ｈ）参照）を介して所定量ずつ従動回転して振分回転体３０側からの遊技球を振分通路Ｑへ流下させるようになっている。従動回転体３１は、回転軸３０ａと同軸に組み付けられて、後述する二段歯車３２ｂと噛み合って振分回転体３０の回転に伴って回転軸３０ａを中心に従動回転するように組み付けられている（図４（Ｇ）（Ｈ）参照）。尚、振分回転体３０と従動回転体３１とは必ずしも同軸ではなく、平行軸上に配置されていてもよい。
【００２７】
また、第３ケース２９Ｃ内（図３（Ｇ）（Ｈ）参照）には、振分回転体３０の回転変位量と所定ピッチ異ならせて従動回転体３１を従動回転させるための歯車機構３２（回転伝達手段；図４（Ｇ）（Ｈ）参照）が設けられている。
【００２８】
振分回転体３０の回転軸３０ａの両端はＤカットされており、前端部に振分回転体３０の軸受部３０ｂが嵌め込まれ（図４（Ｇ）参照）、後端部に入力歯車３２ａ（例えば歯数１４）が一体的に回転するように組み付けられている（図４（Ｈ）参照）。円板状の回転板３２ｃの一面側（前面側）には入力歯車３２ａ（例えば歯数１４）が形成され、反対面側（後面側）には後述するラチェット歯３５ａが一体に形成されている。入力歯車３２ａは、第３ケース２９Ｃに組み付けられた回転軸３３に回転可能に軸支された二段歯車３２ｂのうち小径歯車３２ｂ１（例えば歯数１６）と噛合している。二段歯車３２ｂのうち大径歯車３２ｂ２（例えば歯数２０）は従動回転体３１と同軸に一体に設けられた出力歯車３４（例えば歯数１０）と噛合している（図４（Ｂ）（Ｃ）（Ｄ）（Ｅ）参照）。よって、上述した実施例では、歯車機構３２における入力歯車３２ａと出力歯車３４との歯車比［原歯車の歯数／従歯車の歯数；（１４×２０）／（１６×１０）］は７対４（１．７５）となり、振分回転体３０が４回転、従動回転体３１が７回転するごとに同一周期に戻ることになる。尚、上記入力歯車３２ａ、二段歯車３２ｂ及び出力歯車３４の歯数は任意に設定することができる。例えば、入力歯車３２ａの歯数を１２歯とし、入力歯車３２ａと噛合する二段歯車３２ｂの一方の歯数を１６歯とし、他方の歯数と出力歯車３４の歯数を１４歯とすることで、振分比率は１／２０は変わることなく、歯車比が０．７５となり、振分回転体３０が４回転、従動回転体３１が３回転するごとに同一周期に戻るようにすることもできる。このような歯車比の変更により、さらにコンパクト化も可能となる。
【００２９】
図４（Ａ）に示すように、振分回転体３０は、回転軸３０ａの軸端に形成されたＤカット部に軸受部３０ｂが嵌め込まれて一体に組み付けられている。軸受部３０ｂの周囲には、球受入口２９ａから受け入れた遊技球と個別に当接して回転する複数（例えば５枚）の羽根３０ｃ（球当接部）が形成されている。羽根３０ｃは、軸受部３０ｂの周囲に、回転角で７２°ずつ位相をずらせて等ピッチで放射状に形成されている。また、軸受部３０ｂの後端に各羽根３０ｃと交差するように軸受部３０ｂを中心に円板状の流出阻止壁３０ｄが一体に形成されている。この流出阻止壁３０ｄは、羽根３０ｃに当接した遊技球が軸方向に従動回転体３１へ流出するのを阻止するために設けられる。また、流出阻止壁３０ｄが設けられた軸受部３０ｂの後端には、隣接するいずれかの一対の羽根３０ｃの間が１カ所だけ切り欠かれて、羽根３０ｃに当接した遊技球の従動回転体３１側への流出を許容する球流出部３０ｅが形成されている。尚、羽根３０ｃの数は５枚に限らず増減させてもよい。また、球流出部３０ｅは１カ所に限らず複数箇所に設けられていてもよい。尚、流出阻止壁３０ｄの軸受部３０ｂの周囲には小孔３０ｆ（貫通孔）が複数箇所に設けられている。これらの小孔３０ｆは、流出阻止壁３０ｄの一部が切り欠かれて球流出部３０ｅが形成されたことにより振分回転体３０が偏重心とならないように回転バランスを取るために形成されている。これにより、遊技球の自重が作用することによる振分回転体３０の回転をスムーズにすることができるうえに、振分回転体３０と後述する従動回転体３１に形成された小孔どうしを位置合わせすることで位置決めがし易くなる。
【００３０】
図４（Ｇ）（Ｈ）に示すように、従動回転体３１は、振分回転体３０の羽根３０ｃに当接した遊技球の受入れを阻止する流入阻止壁３１ａと遊技球の受入れを許容する球流入部３１ｂを備えている。球流入部３１ｂは流入阻止壁３１ａの一部を切り欠くように設けられ、その切欠き端部には、遊技球を受け入れて球排出口２９ｃ２（図３（Ｄ）参照）へ誘導するための軸方向に起立した一対の羽根３１ｃが形成されている。従動回転体３１は、振分回転体３０の流出阻止壁３０ｄに流入阻止壁３１ａを軸方向に重ね合せるように組み付けられている。よって、振分回転体３０の球流出部３０ｅと従動回転体３１の球流入部３１ｂとが軸方向に重なる回転位置のみで、振分回転体３０の羽根３０ｃに当接した遊技球の振分回転体３０から従動回転体３１への流出を許容するようになっている。なお、従動回転体３１に流入阻止壁３１ａを設けることで、振分回転体３０の流出阻止壁３０ｄを省略することが可能である。また、流入阻止壁３１ａの軸孔３１ｄ（図９参照）の周囲には小孔３１ｅ（貫通孔）が複数箇所に設けられている。これらの小孔３１ｅは、流入阻止壁３１ａの一部が切り欠かれて球流入部３１ｂが形成されたことにより、従動回転体３１が偏重心とならないように回転バランスを取るために形成されている。これにより、遊技球の自重が作用することによる従動回転体３１の回転をスムーズにすることができる。また、振分回転体３０の小孔３０ｆと従動回転体３１に形成された小孔３１ｅどうしを位置合わせすることで位置決めがし易くなる。
【００３１】
また、図４（Ｆ）（Ｈ），図８，図１０に示すように、入力歯車３２ａが一面側に設けられた回転板３２ｃの反対面側には、振分回転体３０の一方向への回転のみを許容し、かつ流下する遊技球毎の回転量を規制する回転規制部３５（回転規制手段）が設けられている。以下、回転規制部３５の構成の一例について説明する。回転板３２ｃの他面側には、振分回転体３０の羽根３０ｃと同数（例えば５カ所）で同位相（７２°間隔）に設けられたラチェット歯３５ａ（係合部）が等間隔で形成されている。この複数のラチェット歯３５ａのいずれかと噛み合うラチェット爪３５ｂ（爪部材）がワッシャー３５ｄを介してビス３５ｃによって第２ケース２９Ｂのボス２９ｍに組み付けられている。ラチェット爪３５ｂは、ねじりコイルばね３６の一端３６ａ（図４（Ｇ）参照）が第２ケース２９Ｂに係止し、他端３６ｂ（図４（Ｇ）参照）がラチェット爪３５ｂの係止部３５ｂ１（図４（Ｇ），図９参照）に係止することによって、ラチェット爪３５ｂがいずれかのラチェット歯３５ａと常時噛み合うように付勢されている。尚、このねじりコイルばね３６の付勢力は、振分回転体３０を羽根３０ｃに当接した遊技球の自重により回転させる回転力より弱いものとする。即ち、振分回転体３０の羽根３０ｃに遊技球が当接する度に、図８（Ｂ）に示すようにラチェット爪３５ｂがコイルばね３６の付勢力に抗してラチェット歯３５ａの外周に接触しながら揺動し、回転板３２ｃが所定の角度（本実施例では７２°）だけ回転して、ラチェット爪３５ｂが図８（Ａ）に示すようにコイルばね３６の付勢力により復動して、ラチェット歯３５ａに係止して停止するようになっている。
【００３２】
ここで、遊技球振分装置１３の組み付け構成例について図９及び図１０の分解斜視図を参照して説明する。尚、以下の説明では、一方面側と他方面側とは、説明対象物の反対面を指し示すものとする。図１０に示すように、第１ケース２９Ａの軸孔２９ｄに回転軸３０ａの一端側に組み付けられた軸受３０ｂを嵌め合わせて振分回転体３０を第１ケース容器２９ｅに収納する。また、回転軸３０ａには従動回転体３１の軸孔３１ｄを挿通させて、振分回転体３０の流出阻止壁３０ｄに従動回転体３１の流入阻止壁３１ａを軸方向に重ね合せるように組み付けられる（図６（Ｃ），図９参照）。そして、第２ケース２９Ｂを従動回転体３１が第２ケース２９Ｂの一方面側（図９の左側面側）に形成された第２ケース容器２９ｆ（図９参照）内に収容されるように第１ケース２９Ａに重ね合わせる。
このとき、第１ケース２９Ａと第２ケース２９Ｂとは、対向面に設けられたボス２９ｒ１とボス孔２９ｒ２、ボス２９ｓ１とボス孔２９ｓ２を互いに凹凸嵌合させ、ビス孔２９ｔ１とビス孔２９ｔ２を位置合わせして第２ケース２９Ｂの他方面側（図９の右側面側）よりビス２９ｕ（図６（Ｂ）（Ｅ）参照）をねじ嵌合することで組み付けられる。
【００３３】
次に図１０において、第２ケース２９Ｂの他方面側（図１０の右側面側）に突設されたボス２９ｍの外周には、ねじりコイルばね３６及びラチェット爪３５ｂが遊嵌され、ねじりコイルばね３６の一端３６ａを第２ケース２９Ｂ側に係止し、他端３６ｂをラチェット爪３５ｂの係止部３５ｂ１（図９参照）に係止するように組み付けられる。そして、ボス２９ｍのボス孔に、ワッシャー３５ｄを介してビス３５ｃを螺締めすることにより、第２ケース２９Ｂにラチェット爪３５ｂが揺動可能に組み付けられる。
【００３４】
次に、第３ケース２９Ｃの軸孔２９ｋに回転軸３３を挿通させて二段歯車３２ｂを第３ケース２９Ｃに組み付け、軸孔２９ｋより突出した回転軸３３の軸端に、ブッシュ３７を介してｅリング等の抜け止め部材を嵌着して、二段歯車３２ｂが回転自在に装着される。そして、振分回転体３０の回転軸３０ａの他端側に形成されたＤカット部に、回転板３２ｃ（入力歯車３２ａ，ラチェット歯３５ａ）が振分回転体３０と一体に回転するよう組み付けられる。そして、第３ケース２９Ｃを、二段歯車３２ｂ及び回転規制部３５が、第３ケース体２９Ｃの一方面側（図９の左側面側）に設けられた第３ケース容器２９ｇ，２９ｈに収容されるように、第２ケース２９Ｂの他方面側（図１０の右側面側）に重ね合わせる。このとき、図１０に示す第２ケース２９Ｂの他方面側（図１０の右側面側）に設けられたボス２９ｎ１，２９ｐ１を第３ケース２９Ｃのボス孔２９ｎ２，２９ｐ２（図９参照）に嵌合させ、第２ケース２９Ｂの他方面側（図１０の右側面側）に設けられたビス孔２９ｑ１，２９ｏ１に第３ケース２９Ｃのビス孔２９ｑ２，２９ｏ２（図９参照）を重ね合わせて、第３ケース２９Ｃの他方面側（図１０の右側面側）よりビス２９ｖ，２９ｗ（図６（Ｂ）参照）をねじ嵌合させて一体に組み付けられる。そして、回転軸３０ａの他端が第２ケース２９Ｂを通過して第３ケース２９Ｃの軸孔２９ｉでブッシュ３７を介して軸支される。このとき、従動回転体３１に形成された出力歯車３４と大径歯車３２ｂ２とが噛み合い、小径歯車３２ｂ１と入力歯車３２ａとが噛み合うように組み付けられる。
【００３５】
また、図８（Ａ）に示すように、ラチェット爪３５ｂは、常時ねじりコイルばね３６により入力歯車３２ａの他方面側（図１０の右側面側）に形成されたラチェット歯３５ａのいずれかと噛み合うように付勢して組み付けられる。そして、最後に、第３ケース２９Ｃの軸孔２９ｉより突出した回転軸３０ａの軸端に、ｅリング等の抜け止め部材３７を嵌着して遊技球振分装置１３が組み立てられる。尚、図１０に示すようにビス３５ｃ及びワッシャー３５ｄは、第３ケース２９Ｃに設けられた収納孔２９ｊ内に収納されて組み付けられる（図３（Ｂ）参照）。
【００３６】
次に遊技球振分装置１３の動作例について、図４乃至図８を参照して説明する。
遊技者により発射ハンドル１０（図１参照）を操作して遊技が開始され、遊技球が遊技盤６の遊技領域に打ち出される。例えば、図１に示す始動入賞口１４に入賞して抽選の結果、大当たりが発生すると、遊技者は、可変入賞装置（アタッカー）１５に遊技球を入賞させるように発射ハンドル１０を操作して右打ちする。
【００３７】
図６（Ａ）（Ｃ）において、遊技球はセンター役物１１ａに沿ってケース体２９の上方から流下して、球受入口２９ａより第１ケース体２９Ａ内に進入し、球誘導路２９ｂに案内されて振分回転体３０へ導かれる。遊技開始当初は、振分回転体３０の球流出部３０ｅと従動回転体３１の球流入部３１ｂとが軸方向に重なる回転位置にあるものとする（図６（Ｄ）（Ｅ）、図７（Ａ）図８（Ａ）参照）。また、歯車機構３２の状態図は、図４（Ａ）〜（Ｈ）に示す状態にあるものとする。
【００３８】
よって、振分回転体３０の羽根３０ｃに受けられた遊技球Ｂは、図７（Ａ）に示すように振分回転体３０の球流出部３０ｅから軸方向に流出し、従動回転体３１の球流入部３１ｂに受け入れられ第２ケース体２９Ｂ内へ進入する。このとき遊技球が羽根３０ｃから羽根３１ｂに受けられ、その遊技球の自重により振分回転体３０及び従動回転体３１が図８（Ａ）に示す歯車機構３２を介して連係して回転し、振分回転体３０が羽根３０ｃの１ピッチ（７２°）分回転すると共に、従動回転体３１の羽根３１ｂが１ピッチ（１２６°）回転する。このとき、図８（Ａ）（Ｂ）に示すように、ねじりコイルばね３６により付勢されたラチェット爪３５ｂは、羽根３０ｃと同ピッチで設けられたラチェット歯３５ａが１ピッチ分だけ回転して噛み合うため振分回転体３０及び従動回転体３１は各々１ピッチ回転した位置で確実に停止する。これにより、歯車機構３２の状態図は、図４（Ａ）〜（Ｈ）から図５（Ａ）〜（Ｈ）に示す状態に変化し、振分回転体３０の一対の羽根３０ｃ間に形成された球流出部３０ｅが、１ピッチ（７２°）分回転した状態となり、振分回転体３０は流出阻止壁３０ｄによって従動回転体３１側への流出が塞がれた回転位置となる（図７（Ｂ）参照）。
【００３９】
このとき遊技球は、従動回転体３１に形成された羽根３１ｃ（図８（Ａ）参照）に載ったまま振分通路Ｑを流下して球排出口２９ｃ２より排出される（図６（Ｃ）参照）。図１において、球排出口２９ｃ２より排出された遊技球は、下方の特定入賞口２８に誘導される。このとき、例えば抽選により大当たりの回数が増えたり、特別な賞球が払い出されたりして、遊技性に変化を持たせることができる。
【００４０】
振分回転体３０及び従動回転体３１の回転後の状態を図７（Ｂ）に示す。振分回転体３０の回転ピッチ（１ピッチ回転量７２°）と従動回転体３１の回転ピッチ（１ピッチ回転量１２６°）とが異なるため、振分回転体３０の球流出部３０ｅと従動回転体３１の球流入部３１ｂとがシフトして、球流出部３０ｅが流入阻止壁３１ａによって塞がれた状態にある。
【００４１】
図５（Ａ）（Ｃ）において、次の遊技球がケース体２９の上方から流下して、球受入口２９ａより第１ケース体２９Ａ内に進入し、球誘導路２９ｂに案内されて振分回転体３０へ導かれると、図７（Ｂ）に示すように、羽根３０ｃ間と流出阻止壁３０ｄに囲まれて受け止められる。このため、振分回転体３０は遊技球の自重により羽根３０ｃの１ピッチ分だけ（７２°）回転し、歯車機構３２を介して連係する従動回転体３１も１ピッチ（１２６°）回転する。このとき、図８（Ａ）（Ｂ）に示すように、ねじりコイルばね３６により付勢されたラチェット爪３５ｂは、羽根３０ｃと同ピッチかつ同位相で設けられたラチェット歯３５ａが１ピッチ分だけ回転して噛み合うため振分回転体３０及び従動回転体３１は各々１ピッチずつ回転して停止する。
【００４２】
このとき、遊技球は、振分回転体３０に形成された一対の羽根３０ｃと流出阻止壁３０ｄに囲まれたまま振分通路Ｐを流下して球排出口２９ｃ１より排出される（図６（Ｃ）参照）。図１において、球排出口２９ｃ１より排出された遊技球は、下方の可変入賞装置（アタッカー）１５に誘導され、所定数入賞する度に開閉して、入賞した回数分の賞球が球払出し装置２２（図２参照）より球受け皿９へ払い出される。
【００４３】
図６（Ａ）（Ｃ）において、３個目以降１９個目までの遊技球がケース体２９の上方から流下して、球受入口２９ａより第１ケース体２９Ａ内に進入すると、上述したように振分回転体３０によって羽根３０ｃ間と流出阻止壁３０ｄに囲まれて遊技球が受け止められ、振分回転体３０が羽根３０ｃの１ピッチ分（７２°）回転し、従動回転体３１が１ピッチ分（１２６°）従動回転して停止する動作を繰り返す。この間、遊技球振分装置１３に進入した遊技球（２個目から１９個目）は球排出口２９ｃ１より排出され、下方の可変入賞装置（アタッカー）１５に誘導される。その間に、振分回転体３０は、遊技球Ｂが５個流入する毎に一周して振分回転体３０の球流出部３０ｅが図７（Ａ）に示す位置になるが、振分回転体３０と従動回転体３１とのピッチのズレにより、従動回転体３１の球流入部３１ｂは図７（Ａ）に示す位置からズレて位置し、振分回転体３０の球流出部３０ｅに対応して流入阻止壁３１ａが位置することによって従動回転体３１側への流入が塞がれる状態となり、遊技球Ｂはそのまま振分通路Ｐを流下して球排出口２９ｃ１より排出される。また、振分回転体３０が一周する間に従動回転体３１の球流入部３１ｂが図７（Ａ）に示す受入位置にきたとしても、振分回転体３０の流出阻止壁３０ｄが位置することによって従動回転体３１側への流入が塞がれる状態となり、遊技球Ｂはそのまま振分通路Ｐを流下して球排出口２９ｃ１より排出される。つまり、二週目、三週目も同様に振分回転体３０の球流出部３０ｅに対して流入阻止壁３１ａが存在するか、球流入部３１ｂに対して流出阻止壁３０ｄが位置するため、従動回転体３１側への流入が阻止される。
【００４４】
そして、２０個目の遊技球が遊技球振分装置１３に流下したとき、入力歯車３２ａと出力歯車３４との歯車比が７対４であるため（振分回転体３０が４回転し、従動回転体３１が７回転する）、再度図６（Ａ）〜（Ｅ）、図７（Ａ）及び図８（Ａ）に示す状態に戻る。即ち、振分回転体３０の球流出部３０ｅと従動回転体３１の球流入部３１ｂとが軸方向に重なる回転位置となる。よって、大当たりが発生して１個目の遊技球が遊技球振分装置１３に入球すると特定入賞口２８へ誘導され、残りの２個目から１９個目までの遊技球が可変入賞装置（アタッカー）１５に誘導される。言い換えれば、２０球の入球に対して１球は必ず従動回転体３１側の振分通路Ｑに導かれ、球排出口２９ｃ２から排出される構成となっている。
この遊技球振分装置１３による遊技球の振分通路Ｐ，Ｑを振り分ける割合を変化させたい場合には、遊技球振分装置１３の歯車機構３２の歯車比を変更するだけで足りる。従って、遊技球振分装置１３を大型化することなく、遊技球の流下する振分通路Ｐ，Ｑを振り分ける割合を変更することができる。
【００４５】
以上説明したように、振分回転３０体が、球受入口２９ａから受け入れた遊技球と羽根３０ｃが個別に当接し軸方向への流出を流出阻止壁３０ｄまたは流入阻止壁３１ａによって阻止されたまま回転して遊技球を振分通路Ｐへ流下させる場合と、一対の羽根３０ｃ（球流出部３０ｅ）と球流入部３１ｂとが軸方向に重なる回転位置で振分回転体３０から並設された従動回転体３１へ遊技球を流出させて振分通路Ｑへ流下させる場合とで、任意の割合で遊技球を振り分けて流下させることができる。
また、歯車機構３２によって、振分回転体３０の回転変位量と従動回転体３１の従動回転量を所定ピッチ異ならせて回転させることにより、球流出部３０ｅと球流入部３１ｂとが軸方向で重なる回転位置の割合が変化するので、遊技球振分装置１３を大型化することなく、遊技球の流下する振分通路Ｐ，Ｑを振り分ける割合を変更することができる。
また、入力歯車３２ａと出力歯車３４の歯車比を変えるだけで、振分回転体３０の球流出部３０ｅと従動回転体３１の球流入部３１ｂとが軸方向に重なる回転位置の割合が変動するので、振分の割合を容易に変更することができる。例えば振分回転体３０が５回転、従動回転体３１が４回転するように歯車比を変えることで、振分比率を１／２５にすることができる。当然のことながら球当接部の数を変更することでも振分の割合を変更することができる。したがって、コンパクトな構成で任意の振分比率を実現することができる。
【００４６】
また、振分回転体３０の一方向への回転のみを許容し、流下する遊技球毎の回転量を規制する回転規制部３５を備えているので、遊技盤６を流下する遊技球が振分回転体３０の羽根３０ｃに当接したとしても、当該遊技球１個分の回転量で回転規制することで、遊技球の振分動作を制御することができる。また、振分回転体３０の羽根３０ｃと回転規制部３５のラチェット歯３５ａの回転規制量のピッチが合致するので、付勢されたラチェット爪３５ｂは１ピッチ回転するごとに振分回転体３０と同期をとって回転させることができる。
【００４７】
また、振分回転体３０は、遊技球を一対の羽根３０ｃと流出阻止壁３０ｄに囲まれた部位に保持して回転し、球流出部３０ｅが従動回転体３１の球流入部３１ｂと合致したときだけ振分回転体３０から従動回転体３１へ遊技球を流出させるので、モータ等の駆動源を用いることなく機械的に遊技球を振り分けて排出することができる。
【００４８】
また振分回転体３０と従動回転体３１が同一軸線上に設けられていると、遊技盤６に配置される遊技球振分装置１３の奥行きや上下の嵩張りが少なく、コンパクトに配置できるので設計の自由度が広がる。
また、ケース体２９の球受入口２９ａから受け入れた遊技球を振分回転体３０へ誘導する球誘導路２９ｂは、振分回転体３０の回転軸方向に誘導することにより、振分回転体３０と従動回転体３１が軸方向に配置されるので、確実に従動回転体３１側へ誘導でき、遊技盤６に配置される遊技球振分装置１３を球誘導路２９ｂも含めて最短距離で、コンパクトに配置することができる。
【００４９】
尚、振分回転体３０の羽根３０ｃは、従動回転体３１に向かって遊技球を誘導する傾斜部を備えていてもよい。これにより、振分回転体３０の羽根３０ｃに受け入れた遊技球を従動回転体３１に向かって確実に誘導することができる。
【００５０】
パチンコ機１においては、上述した遊技球振分装置１３が遊技盤６に組み付けられていることで、遊技球振分装置１３より遊技球の流下方向に可変入賞装置１５が組み付けられている場合には、遊技球を可変入賞装置１５へ誘導する場合とそれ以外の場合とで遊技球を振り分けて流下させることで、入賞の回数や大当たりのバリエーションなどが異なるため、遊技性に変化を持たせることもでき、遊技者の興趣を深めることができる。
或いは、例えば遊技球振分装置１３の振分通路Ｐ，Ｑやその下流側に検知センサを設けることによって振り分けられた遊技球を検知し、当たり抽選を実行したり、賞球として入賞回数をカウントしたりすることによっても、遊技性に変化を持たせることができる。
【００５１】
また、上述した実施形態では、振分回転体３０は、軸受部３０ｂを中心に球当接部として複数の羽根３０ｃが放射状に形成された風車状に形成されていたが、これに限らず、球当接部を凹面として形成された所謂スプロケットタイプでもよい。
また、回転規制手段（回転規制部３５）は、回転伝達手段（歯車機構３２）に設けずに、振分回転体３０の球当接部（羽根３０ｃ）を直接付勢部材の付勢によって所定位置で回転停止させるようにしてもよい。
また、振分回転体３０と共に従動回転する従動回転体３１の数は単数に限らず複数設けられていてもよく、これに伴って振分通路の数を３以上にさらに増やしてもよい。これにより、遊技球の振分率を変化させると共に遊技球の振分先を増やすことが可能になる。
また、いずれかの振分通路に振り分けられた遊技球をアウト球として回収するようにしても、アウト球となる経路に排出するようにしてもよい。
以上、遊技機の一例としてパチンコ機について説明したが、遊技球を使用する他の遊技機、例えば雀球遊技機やアレンジボール遊技機などに適用してもよい。
【符号の説明】
【００５２】
１  パチンコ機  ２  外枠  ３  内枠  ４ａ，４ｂ  内枠ヒンジ  ５  前面枠  ５ａ，５ｂ  前枠ヒンジ  ５ｃ  シリンダ錠  ６  遊技盤  ７  窓部  ８  装飾ランプ  ９  球受け皿  １０  発射ハンドル  １１  図柄表示装置（液晶表示装置）  １１ａ  センター役物  １１ｂ  釘  １２  スルーチャッカー  １３  遊技球振分装置  １４  始動入賞口  １５  可変入賞装置（アタッカー）  １６  遊技盤レール  １７  サイドランプ  １８  アウト口  １９  貯留タンク  ２０  タンクレール  ２１  球通路  ２２  球払出装置  ２３  球払出樋  ２４  盤裏カバー  ２５  主制御基板  ２６  払出制御基板  ２７  発射制御基板  ２８  特定入賞口  ２９  ケース体  ２９Ａ  第１ケース体  ２９Ｂ  第２ケース体  ２９Ｃ  第３ケース体  ２９ａ  球受入口  ２９ｂ  球誘導路  ２９ｃ１，２９ｃ２  球排出口  ２９ｄ，２９ｋ，２９ｉ，３１ｄ  軸孔  ２９ｅ  第１ケース容器  ２９ｆ  第２ケース容器  ２９ｇ，２９ｈ  第３ケース容器  ２９ｊ  収納孔  ２９ｍ，２９ｎ１，２９ｒ１，２９ｓ１，２９ｐ１  ボス  ２９ｎ２，２９ｒ２，２９ｓ２，２９ｐ２  ボス孔  ２９ｑ１，２９ｑ２，２９ｏ１，２９ｏ２，２９ｔ１，２９ｔ２  ビス孔  ２９ｕ，２９ｖ，２９ｗ，３５ｃ  ビス  ３０  振分回転体  ３０ａ，３３  回転軸  ３０ｂ  軸受部  ３０ｃ，３１ｃ  羽根（球当接部）  ３０ｄ  流出阻止壁  ３０ｅ  球流出部  ３０ｆ，３１ｅ  小孔  ３１  従動回転体  ３１ａ  流入阻止壁  ３１ｂ  球流入部  ３２  歯車機構（回転伝達手段）  ３２ａ  入力歯車  ３２ｂ  二段歯車  ３２ｂ１  小径歯車  ３２ｂ２  大径歯車  ３２ｃ  回転板（回転規制体）  ３４  出力歯車  ３５  回転規制部（回転規制手段）  ３５ａ  ラチェット歯（係合部）  ３５ｂ  ラチェット爪（爪部材）  ３５ｄ  ワッシャー  ３６  ねじりコイルばね  ３７  ブッシュ  Ｐ，Ｑ  振分通路  Ｂ  遊技球
【図１】
0006416026.tif 000002
【図２】
0006416026.tif 000003
【図３】
0006416026.tif 000004
【図４】
0006416026.tif 000005
【図５】
0006416026.tif 000006
【図６】
0006416026.tif 000007
【図７】
0006416026.tif 000008
【図８】
0006416026.tif 000009
【図９】
0006416026.tif 000010
【図１０】
0006416026.tif 000011